(57)【要約】【課題】音声品質テスターにおいて複数の通話シグナリングプロトコルスタックを切り替える方法及びこの方法を使用する装置の提供【解決手段】パケットベースのネットワーク上の通話経路における音声品質を試験するシステムであって、第１音声品質テスター（ＶＱＴ）と、この第１ＶＱＴと通話経路を介して通信する第２ＶＱＴと、第１通話シグナリングプロトコルに従って第１及び第２ＶＱＴ間で通話シグナリング経路を確立する第１通話シグナリングスタックと、第２通話シグナリングプロトコルに従って第１及び第２ＶＱＴ間で通話シグナリング経路を確立する第２通話シグナリングスタックと、を備える。ユーザーは、第１又は第２通話シグナリングスタックのいずれかを選択して通話シグナリング経路を確立する。【選択図】図２
2004088777.tif 000002
【特許請求の範囲】
【請求項１】
　パケットベースのネットワーク上の通話経路における音声品質を試験するシステムであって、
　第１音声品質テスターと、
　前記第１音声品質テスターと前記通話経路を介して通信する第２音声品質テスターと、
　第１通話シグナリングプロトコルに従って前記第１音声品質テスター及び第２音声品質テスター間で通話シグナリング経路を確立する第１通話シグナリングスタックと、
　第２通話シグナリングプロトコルに従って前記第１音声品質テスター及び第２音声品質テスター間で通話シグナリング経路を確立する第２通話シグナリングスタックと、を有し、
　前記第１通話シグナリングスタック又は第２通話シグナリングスタックのいずれかがユーザーによって選択され、通話シグナリング経路が確立されることを特徴とするシステム。
【請求項２】
　前記ユーザーは、前記システムを再構成することなく、前記通話シグナリングスタックの選択を変更する請求項１記載のシステム。
【請求項３】
　前記第１音声品質テスターは、通話経路のＰＡＭＳ明瞭度、ＰＳＱＭ明瞭度、ＰＥＳＱ明瞭度、高分解能遅延、エコーＰＡＣＥ、又は信号損失を試験する請求項１記載のシステム。
【請求項４】
　前記通話シグナリングスタックの選択は、リアルタイムに変更される請求項４記載のシステム。
【請求項５】
　前記第１音声品質テスターは、
　制御及びデータ情報を生成する音声品質テスターアプリケーションと、
　前記情報を中継するダイナミック・リンク・ライブラリと、
　前記ダイナミック・リンク・ライブラリから中継された情報を受信するメディア・オーバー・パケット・インターフェイスと、を備える請求項１記載のシステム。
【請求項６】
　前記メディア・オーバー・パケット・インターフェイスが受信する情報は前記選択した通話シグナリングスタックに固有のコマンドを含んでおり、前記メディア・オーバー・パケット・インターフェイスは前記コマンドを前記選択した通話シグナリングスタックに転送する請求項１記載のシステム。
【請求項７】
　前記ネットワークと接続するローカルエリア・ネットワーク・インターフェィスと、
　前記ローカルエリア・ネットワーク・インターフェイスと前記第１通話シグナリングスタック及び第２通話シグナリングスタックとの間のＴＣＰ／ＩＰと、を更に備える請求項１記載のシステム。
【請求項８】
　パケットベースのネットワーク上の通話経路における音声品質を試験する方法であって、
　第１音声品質テスターと第２音声品質テスターとの間で通話経路を確立するステップと、
　第１通話シグナリングプロトコルに従って前記第１及び第２音声品質テスター間で通話シグナリング経路を確立する第１通話シグナリングスタック、または、第２通話シグナリングプロトコルに従って前記第１音声品質テスター及び第２音声品質テスター間で通話シグナリング経路を確立する第２通話シグナリングスタックのいずれかを選択するステップと、を備えることを特徴とする方法。
【請求項９】
　通話経路のＰＡＭＳ明瞭度、ＰＳＱＭ明瞭度、ＰＥＳＱ明瞭度、高分解能遅延、エコーＰＡＣＥ、又は信号損失を試験するステップを更に備える請求項８記載の方法。
【請求項１０】
　スタック固有のコマンドをメディア・オーバー・パケット・インターフェイスから前記選択した通話シグナリングスタックに転送するステップを更に備える請求項８記載の方法。
【発明の詳細な説明】
【技術分野】
【０００１】
　本発明は、複数の通話シグナリングプロトコルスタックを切り替える方法に関し、更に詳しくは、パケットベースのネットワークにおいてリアルタイムで切り替える方法及びこの方法を使用する装置に関する。
【背景技術】
【０００２】
　音声品質テスター（ＶＱＴ）は、電話による通話の様々なパラメータを測定し、電話ネットワークにおいて発生する劣化を定量化する装置である。この測定装置は、特にパケットベースの電話ネットワークやパケットベースのネットワークを含む電話ネットワークの分析用に設計されており、測定対象には、明瞭度、遅延、エコー、及び信号損失が含まれる。
【０００３】
　測定のプロセスは、２つのＶＱＴ間（或いは、使用するインターフェイスで複数のポートをサポートしている場合には、同一のＶＱＴ）で通話を確立することから始まる。通話を確立するには、使用するインターフェイスに応じて異なるシグナリング法を使用する。そして、通話が確立され、メディア経路がアクティブになると、測定対象を選択し構成して通話経路を分析することができる。ほとんどの測定においては、ＷＡＶファイル（即ち、音声、雑音、又はトーンを表すファイル）をネットワーク上に送信し、それをＶＱＴで受信及び処理して結果を表示する。
【０００４】
　図１は、例えば、ＶｏＩＰ（ボイス・オーバー・インターネットプロトコル）ネットワークなどのパケットベースのネットワーク１６０における音声品質を試験する従来のシステム１００のブロックダイアグラムである。このシステム１００は、第２ＶＱＴ１７０と協働してパケットベースのネットワーク１６０を試験する第１ＶＱＴ１１０を含んでいる。システム１００は、通話を確立するべく通話シグナリング経路を提供する通話シグナリングプロトコルスタック（以下、「通話シグナリングスタック」と呼ぶ）１２０と、通話自体の通話経路を提供するメディア処理スタック１３０と、を更に含んでいる。ＴＣＰ／ＩＰ１４０により、通話シグナリングデータ及び通話がＬＡＮ（ローカルエリア・ネットワーク）インターフェイス１５０と接続されており、このＬＡＮインターフェイスは、パケットベースのネットワーク１６０と接続している。
【発明の開示】
【発明が解決しようとする課題】
【０００５】
　通話シグナリングスタック１２０は、ＳＩＰやＨ．３２３などのプロトコルに従って動作する。異なるプロトコルをサポートするには、通話シグナリングスタック１２０を異なるソフトウェアのダウンロードで再構成するか、或いは異なるアプリケーションを使用しなければならない。これは、複雑な一連のステップを必要とし予期しない混乱が発生する可能性が増大するため、不利である。又、再構成には費用が伴い、時間もかかる。更には、システム１００によって様々なクライアントの様々なネットワークを測定する能力には限界があるため、それぞれのクライアント用にネットワーク１００をカスタマイズしなければならない。
【０００６】
　別の既存システム（図示されていない）であって、通話シグナリングの相互運用性（インターオペラビリティ）を試験し、複数の通話シグナリングスタックを含むものも存在する。しかしながら、この別の既存システムの場合には、通話を確立できるかどうかを試験するものであり、通話経路の品質試験を行わないため、ＶＱＴではない。
【課題を解決するための手段】
【０００７】
　本発明の前述及びその他の利点は、パケットベースのネットワーク上の通話経路における音声品質を試験するシステムを提供することによって達成される。このシステムは、第１音声品質テスター（ＶＱＴ）と、この第１ＶＱＴと通話経路を介して通信する第２ＶＱＴと、第１通話シグナリングプロトコルに従って第１及び第２ＶＱＴ間で通話シグナリング経路を確立する第１通話シグナリングスタックと、第２通話シグナリングプロトコルに従って第１及び第２ＶＱＴ間で通話シグナリング経路を確立する第２通話シグナリングスタックと、を含んでいる。ユーザーは、第１又は第２通話シグナリングスタックのいずれかを選択して通話シグナリング経路を確立する。
【０００８】
　本発明の前述及びその他の利点は、パケットベースのネットワーク上の通話経路における音声品質を試験する方法を提供することによっても達成される。この方法は、第１音声品質テスター（ＶＱＴ）と第２ＶＱＴ間で通話経路を確立するステップと、第１通話シグナリングプロトコルに従って第１及び第２ＶＱＴ間で通話シグナリング経路を確立する第１通話シグナリングスタックと第２通話シグナリングプロトコルに従って第１及び第２ＶＱＴ間で通話シグナリング経路を確立する第２通話シグナリングスタックのいずれかを選択するステップと、を含んでいる。
【０００９】
　本発明の前述及びその他の利点は、パケットベースのネットワーク上の通話経路における音声品質を試験する方法を提供することによっても達成される。この方法は、第１音声品質テスター（ＶＱＴ）と第２ＶＱＴ間で第１通話シグナリングプロトコルに従って動作する第１通話シグナリングスタックを含む通話シグナリング経路を確立するステップと、第２通話シグナリングプロトコルに従って動作する第２通話シグナリングスタックを含むようにリアルタイムで通話シグナリング経路を変更するステップと、を含んでいる。
【発明の効果】
【００１０】
　従って、本発明は、前述の既存システムの欠点を克服するものである。
【００１１】
　又、本発明によれば、リアルタイムで切り替え可能な複数の通話シグナリングスタックを備えるＶＱＴ試験システムも提供される。
【００１２】
　本発明の更なる利点については、その一部が以下の説明に記述されており、一部は以下の説明から明らかとなるか、或いは本発明を実施することによって知ることができるであろう。
【発明を実施するための最良の形態】
【００１３】
　以下、本発明の好適な実施形態を詳細に参照するが、それらは添付の図面に例示されており、それらの図面においては類似の参照符号によって類似の要素が示されている。
【００１４】
　図２は、本発明の実施形態によるパケットベースのネットワーク６０における音声品質を試験するシステム１のブロックダイアグラムである。尚、ネットワーク６０はＶｏＩＰネットワークであってよいが、その他のパケットベースのネットワークを試験することも可能である。ユーザーは、ＶＱＴ１０のＶＱＴアプリケーション１２に含まれているグラフィカル・ユーザー・インターフェイス（ＧＵＩ）（図示されていない）によって第１ＶＱＴ１０とやり取りする。ユーザーは、このＧＵＩのポートセットアップ画面を介し、通話を確立するのに使用するシグナリングプロトコルを指示する。そして、ユーザーは、ＧＵＩの詳細構成画面によってプロトコル固有の構成パラメータを設定することができる。又、パケットベースのネットワーク６０の測定対象パラメータを指定するための別の画面も提供されている。
【００１５】
　第１ＶＱＴ１０には、ＤＬＬ（ダイナミック・リンク・ライブラリ）１４も含まれており、このＤＬＬによってＶＱＴアプリケーションコードに対する一貫性のあるＡＰＩ（アプリケーション・プログラミング・インターフェイス）が実現されている。このＤＬＬ１４は、インターフェイス固有のＤＬＬであり、１０／１００　ＥＴＨＥＲＮＥＴ（富士ゼロックス社の商標）インターフェイスの場合には、ＶＱＴＬａｎＳＣＭ　ＤＬＬが使用される。ＦＸＯ、ＥＮＭ、Ｔ１、及びＥ１などのその他のタイプのインターフェイスを使用し、ネットワークの問題点の切り分けを容易にするべく、パケットベースのネットワーク６０の様々な地点に第１ＶＱＴがアクセスできるようにすることも可能である。
【００１６】
　第１ＶＱＴ１０には、ＭｏＰＩ（メディア・オーバー・パケット・インターフェイス）１６も含まれており、このＭｏＰＩによって、第１通話シグナリングプロトコルスタック２０（以下、「第１通話シグナリングスタック」と呼ぶ）、第２通話シグナリングプロトコルスタック２２（以下、「第２通話シグナリングスタック」と呼ぶ）、及びメディア処理スタック３０とインターフェイスされている。
【００１７】
　第１通話シグナリングスタック２０は、第１通話シグナリングプロトコルに従って通話シグナリング経路を確立し、第２通話シグナリングスタック２２は、第２通話シグナリングプロトコルに従って通話シグナリング経路を確立する。例えば、図２は、第１通話シグナリングプロトコルがＳＩＰで、第２通話シグナリングプロトコルがＨ．３２３になっているものを示している。尚、これらのプロトコルは、一例として示されているものであり、ＭＧＣＰやＭＥＧＡＣＯなどのその他のプロトコルを使用することも可能である。これらのプロトコルは、ＴＣＰ／ＩＰ４０の上位に位置しているという意味において「上位レイヤ」プロトコルである。ユーザーは、ＧＵＩを使用して第１通話シグナリングスタック２０又は第２通話シグナリングスタック２２のいずれかをアクティブスタックとして選択する。従って、アクティブなのは、どの時点においても１つのスタックのみである。尚、使用するプロトコルに応じて、ＴＣＰ／ＩＰ４０の代わりにＵＤＰ／ＩＰを使用可能である。
【００１８】
　通話シグナリングスタック２０、２２は通話シグナリング経路を確立し、通話経路を確立するのはメディア処理スタック３０である。一例として、メディア処理スタック３０は、ＲＴＰに従って動作し音声データなどのメディアストリームを搬送する。しかしながら、その他のプロトコルも使用可能であり、ビデオなどのその他のタイプのデータをメディア処理スタック３０によって処理することもできる。ＬＡＮインターフェイス５０は、パケットベースのネットワーク６０と接続しており、１０／１００Ｍｂｐｓ　ＥＴＨＥＲＮＥＴ（富士ゼロックス社の商標）又はギガビットＥＴＨＥＲＮＥＴ（富士ゼロックス社の商標）であってよい。尚、その他のパケットベースのネットワークやその他のＬＡＮインターフェイスも使用可能である。
【００１９】
　次にシステム１の動作について説明する。ユーザーは、システム１のサイトにおいて、或いは、ヘッドレス・サーバー（図示されていない）を介して遠隔地からＧＵＩ画面を参照する。ユーザーは、ポートセットアップ画面によって所望の通話シグナリングスタック２０又は２２を選択し、詳細構成画面によって所望のプロトコルのパラメータを設定する。更に、ユーザーは、パケットベースのネットワーク６０の試験対象のパラメータを選択することができる。ユーザーは、明瞭度（ＰＡＭＳ、ＰＳＱＭ、又はＰＥＳＱ）、高分解能遅延、ネットワークにおけるパケットの遅延、エコーＰＡＣＥ、又は通話経路における信号損失を選択することができる。
【００２０】
　そして、この制御及びデータ情報をＤＬＬ１４がＶＱＴアプリケーション１２から受信する。この制御及びデータ情報には、使用するプロトコル、そのプロトコルに固有の構成データ、通話を発信する信号及びその通話の宛先、又はその他のデータを含むことができる。
【００２１】
　ＤＬＬ１４は、再フォーマットした後に、この制御及びデータ情報をＭｏＰＩ１６に供給する。すると、ＭｏＰＩ１６は、この情報をその特性に応じて第１通話シグナリングスタック２０、第２通話シグナリングスタック２２、又はメディア処理スタック３０のいずれかに送信する。例えば、この情報には、スタック固有のコマンドを含むことが可能であり、ＭｏＰＩ１６は、これらのコマンドを適切なスタックに送信する。これらのスタック固有コマンドには、プロトコル構成コマンド、プロトコル初期化／終了コマンド、又は通話発信／切断コマンドが含まれる。ＭｏＰＩ１６は、宛先と接続するのに必要な変換を実行する。更に、ＭｏＰＩ１６は、通話シグナリングスタック２０、２２とメディア処理スタック３０間を接続している。例えば、通話に失敗した、或いは通話が完了したという信号をアクティブな通話シグナリングスタックが受信すると、ＭｏＰＩ１６に対して通知され、この結果、ＭｏＰＩ１６はメディア処理スタック３０をオフする。
【００２２】
　アクティブな通話シグナリングスタックからもう一方の通話シグナリングスタックに変更するには、ユーザーは、ＧＵＩのポートセットアップ画面にアクセスしてこの変更を入力する。すると、アクティブな通話シグナリングスタックが終了し、新たに選択された通話シグナリングスタックが初期化される。システム１全体を再構成する必要がないため、通話シグナリングスタックの選択を変更するこのプロセスはリアルタイムで実行可能である。尚、この「リアルタイム」とは、ユーザーの変更要求をシステムが処理するのに非常に短時間ではあるが有限な時間が要されるのだが、ユーザーの観点では、通話シグナリングスタックの変更が瞬時に行われるように見えるということを意味している。
【００２３】
　前述のように、本発明によれば、ユーザーによる簡単な選択によって通話シグナリングスタックを切り替えることができる。そして、アプリケーション内に複数のスタックが存在しているため、このスタック間の遷移はリアルタイムで実行される。切り替え手順を単純化することにより、予期しない問題の発生が最小化され、システム全体の再構成に必要なソフトウェアを設置する必要もなくなる。本システムは、それぞれのネットワーク用に試験装置をカスタマイズすることなく、多数の異なるネットワークと互換性を有している。
【００２４】
　尚、図２には、２つの通話シグナリングスタックが示されているが、本発明には、それぞれが異なる通話シグナリングプロトコルを備える３つ以上の通話シグナリングスタックを含めることができる。又、図２には、２つのＶＱＴを含む試験システムが示されているが、当技術分野において周知のごとく、使用するインターフェイスで複数のポートがサポートされている場合には、１つのＶＱＴを使用することができる。
【００２５】
　以上、本発明のいくつかの好適な実施形態を図示し説明したが、当業者であれば、本発明の原理と精神を逸脱することなく、これらの実施形態に変更を加えることが可能であることを理解するであろう。本発明の範囲は、請求項及びその相当物に定義されているとおりである。しかしながら、本発明の広汎な応用の可能性に鑑み、以下に本発明の実施態様を幾つか例示する。
【００２６】
　　（実施態様１）
　パケットベースのネットワーク上の通話経路における音声品質を試験するシステムであって、
　第１音声品質テスター（ＶＱＴ）（１０）と、
　前記第１ＶＱＴ（１０）と前記通話経路を介して通信する第２ＶＱＴ（７０）と、
　第１通話シグナリングプロトコルに従って前記第１及び第２ＶＱＴ間で通話シグナリング経路を確立する第１通話シグナリングスタック（２０）と、
　第２通話シグナリングプロトコルに従って前記第１ＶＱＴ（１０）及び第２ＶＱＴ（７０）間で通話シグナリング経路を確立する第２通話シグナリングスタック（２２）と、を有し、
　ユーザーは、前記第１通話シグナリングスタック（２０）又は第２通話シグナリングスタック（２２）のいずれかを選択して通話シグナリング経路を確立することを特徴とするシステム。
【００２７】
　　（実施態様２）
　前記第１プロトコル及び第２プロトコルは、ＳＩＰ、Ｈ．３２３、ＭＧＣＰ、又はＭＥＧＡＣＯである実施態様１記載のシステム。
【００２８】
　　（実施態様３）
　前記パケットベースのネットワークは、Ｅｔｈｅｒｎｅｔ（富士ゼロックス社の商標）ネットワークである実施態様１記載のシステム。
【００２９】
　　（実施態様４）
　前記ユーザーは、前記システムを再構成することなく、前記通話シグナリングスタック（２０，２２）の選択を変更する実施態様１記載のシステム。
【００３０】
　　（実施態様５）
　前記第１ＶＱＴ（１０）は、通話経路のＰＡＭＳ明瞭度、ＰＳＱＭ明瞭度、ＰＥＳＱ明瞭度、高分解能遅延、エコーＰＡＣＥ、又は信号損失を試験する実施態様１記載のシステム。
【００３１】
　　（実施態様６）
　前記通話シグナリングスタック（２０，２２）の選択は、リアルタイムに変更される実施態様４記載のシステム。
【００３２】
　　（実施態様７）
　前記第１ＶＱＴ（１０）は、
　制御及びデータ情報を生成するＶＱＴアプリケーション（１２）と、
　前記情報を中継するＤＬＬ（ダイナミック・リンク・ライブラリ）（１４）と、
　前記ＤＬＬから中継された情報を受信するＭｏＰＩ（メディア・オーバー・パケット・インターフェイス）（１６）と、を備える実施態様１記載のシステム。
【００３３】
　　（実施態様８）
　前記ＶＱＴアプリケーションは、ポートセットアップ画面を含むＧＵＩ（グラフィカル・ユーザー・インターフェイス）を含み、前記ユーザーは、前記通話シグナリングスタックの選択を前記ポートセットアップ画面において実行する実施態様７記載のシステム。
【００３４】
　　（実施態様９）
　前記ＭｏＰＩ（１６）が受信する情報は前記選択した通話シグナリングスタック（２０，２２）に固有のコマンドを含んでおり、前記ＭｏＰＩは前記コマンドを前記選択した通話シグナリングスタック（２０，２２）に転送する実施態様８記載のシステム。
【００３５】
　　（実施態様１０）
　前記コマンドは、構成コマンド、インターフェイスコマンド、終了コマンド、通話発信コマンド、又は通話切断コマンドである実施態様９記載のシステム。
【００３６】
　　（実施態様１１）
　前記ＤＬＬは、インターフェイス固有のＤＬＬである実施態様７記載のシステム。
【００３７】
　　（実施態様１２）
　前記ＤＬＬは、ＶＱＴＬａｎＳＣＭ　ＤＬＬである実施態様１１記載のシステム。
【００３８】
　　（実施態様１３）
　前記ネットワーク（６０）と接続するＬＡＮ（ローカルエリア・ネットワーク）インターフェイス（５０）と、
　前記ＬＡＮインターフェイス（５０）と前記第１シグナリングスタック（２０）及び第２通話シグナリングスタック（２２）との間のＴＣＰ／ＩＰと、を更に備える実施態様１記載のシステム。
【００３９】
　　（実施態様１４）
　パケットベースのネットワーク上の通話経路における音声品質を試験する方法であって、
　第１音声品質テスター（ＶＱＴ）（１０）と第２ＶＱＴ（７０）間で通話経路を確立するステップと、
　第１通話シグナリングプロトコルに従って前記第１及び第２ＶＱＴ間で通話シグナリング経路を確立する第１通話シグナリングスタック（２０）、または、第２通話シグナリングプロトコルに従って前記第１ＶＱＴ及び第２ＶＱＴ間で通話シグナリング経路を確立する第２通話シグナリングスタック（２２）のいずれかを選択するステップと、を備えることを特徴とする方法。
【００４０】
　　（実施態様１５）
　通話経路のＰＡＭＳ明瞭度、ＰＳＱＭ明瞭度、ＰＥＳＱ明瞭度、高分解能遅延、エコーＰＡＣＥ、又は信号損失を試験するステップを更に備える実施態様１４記載の方法。
【００４１】
　　（実施態様１６）
　スタック固有のコマンドをＭｏＰＩから前記選択した通話シグナリングスタック（２０，２２）に転送するステップを更に備える実施態様１４記載の方法。
【００４２】
　　（実施態様１７）
　パケットベースのネットワーク上の通話経路における音声品質を試験する方法であって、
　第１音声品質テスター（ＶＱＴ）と第２ＶＱＴとの間で第１通話シグナリングプロトコルに従って動作する第１通話シグナリングスタックを含む通話シグナリング経路を確立するステップと、
　第２通話シグナリングプロトコルに従って動作する第２通話シグナリングスタックを含むようにリアルタイムで前記通話シグナリング経路を変更するステップと、を備えることを特徴とする方法。
【００４３】
　　（実施態様１８）
　前記変更ステップは、
　前記第２通話シグナリングスタックを初期化するステップと、
　前記第１通話シグナリングスタックを終了させるステップと、を備える実施態様１７記載の方法。
【００４４】
　　（実施態様１９）
　前記変更ステップは、前記ＶＱＴを再構成することなく変更するステップを含む実施態様１７記載の方法。
【００４５】
　　（実施態様２０）
　前記通話経路のＰＡＭＳ明瞭度、ＰＳＱＭ明瞭度、ＰＥＳＱ明瞭度、高分解能遅延、エコーＰＡＣＥ、又は信号損失を試験するステップを更に備える実施態様１７記載の方法。
【図面の簡単な説明】
【００４６】
【図１】パケットベースのネットワークにおける音声品質を試験する従来のシステムのブロックダイアグラムである。
【図２】本発明の実施形態によるパケットベースのネットワークにおける音声品質を試験するシステムのブロックダイアグラムである。
【符号の説明】
【００４７】
１　音声品質試験システム
１０　第１音声品質テスター（ＶＱＴ）
１２　ＶＱＴアプリケーション
１４　ＤＬＬ（ダイナミック・リンク・ライブラリ）
１６　ＭｏＰＩ（メディア・オーバー・パケット・インターフェイス）
２０　第１通話シグナリングスタック
２２　第２通話シグナリングスタック
４０　ＴＣＰ／ＩＰ
５０　ＬＡＮ（ローカルエリア・ネットワーク）
６０　パケットベースのネットワーク
７０　第２ＶＱＴ
【図１】
2004088777.tif 000003
【図２】
2004088777.tif 000004